(57)【要約】【課題】貯蔵室内の食品の視認性をよくし、使い勝手をよくするとともに、視認性の改善により食品を短時間で確認できることから、ドアを開けている時間が短縮され、省エネにも貢献した冷蔵庫を提供する。【解決手段】引き出し式貯蔵室を照らすＬＥＤ庫内灯４と、引き出し式貯蔵室の開閉を検知するドア開閉検知手段７と、ＬＥＤ庫内灯４の点灯を制御する庫内灯通電制御手段８とを備え、ＬＥＤ庫内灯４を引き出し式貯蔵室の上部に配置した上部引き出し式貯蔵室の下部に配置したことにより、引き出し式貯蔵室が引き出されると共に食品が使用者に見える位置に出てくるときの食品の真上にＬＥＤ庫内灯４が位置することとなり、食品を的確に照明することができる。【選択図】図１
2011047648.tif 000002
【特許請求の範囲】
【請求項１】
冷凍サイクルの冷却器で生成された冷気により冷却される引き出し式貯蔵室と、前記引き出し式貯蔵室を照らす庫内灯と、前記引き出し式貯蔵室の開閉を検知するドア開閉検知手段と、前記庫内灯の点灯を制御する庫内灯通電制御手段とを備え、前記庫内灯を前記引き出し式貯蔵室の上部に配置した上部引き出し式貯蔵室の下部に配置したことを特徴とする冷蔵庫。
【請求項２】
庫内灯は、上部引き出し式貯蔵室の下部で手前に位置し、引き出し式貯蔵室の貯蔵容器が引き出されると共に食品が使用者に見える位置に出てくるときの食品の真上に庫内灯が位置することを特徴とする請求項１に記載の冷蔵庫。
【請求項３】
庫内灯は、ＬＥＤにより構成されたことを特徴とする請求項１または２のいずれかに記載の冷蔵庫。
【請求項４】
引き出し式貯蔵室は少なくとも冷凍室であることを特徴とする請求項１から３のいずれかに記載の冷蔵庫。
【発明の詳細な説明】
【技術分野】
【０００１】
本発明は、貯蔵室内に光を照射する庫内灯を備えた冷蔵庫に関するものである。
【背景技術】
【０００２】
従来の冷蔵庫においては、庫内灯の配置は貯蔵室の天面に設置させるものが主流となっており、庫内灯にはＬＥＤを用いるものが発案されている（例えば、特許文献１参照）。
【０００３】
以下、図面を参照しながら上記従来の庫内灯を説明する。
【０００４】
図２は従来の冷蔵庫の貯蔵室部分の透視図である。図２に示すように、貯蔵室の天面に白色照明装置１０１および発光ダイオード１０２が配されている。
【先行技術文献】
【特許文献】
【０００５】
【特許文献１】特開２００１−８２８６９号公報
【発明の概要】
【発明が解決しようとする課題】
【０００６】
しかしながら、上記従来の構成では近年主流の冷蔵庫に採用されている引き出し式の貯蔵室では、貯蔵室の天面に庫内灯を配置しても、貯蔵室が引き出されることで対象の食品が照らされないという課題を有していた。
【０００７】
本発明は、上記従来の課題を解決するもので、引き出し式貯蔵室の食品への適切な照明を可能とした冷蔵庫を提供することを目的とする。
【課題を解決するための手段】
【０００８】
上記従来の課題を解決するために本発明の冷蔵庫は、引き出し式貯蔵室と、この引き出し式貯蔵室を照らす庫内灯と、貯蔵室の開閉を検知するドア開閉検知手段と、庫内灯の点灯を制御する庫内灯通電制御手段とを備え、庫内灯を引き出し式貯蔵室の上部に配置した上部引き出し式貯蔵室の下部に配置したものである。
【０００９】
これによって、引き出し式の貯蔵室が引き出されたときに、使用者の視線の直下にある対象の食品に照明を当てることができ、視認性を改善することができる。
【発明の効果】
【００１０】
本発明の冷蔵庫は、貯蔵室内の食品の視認性をよくし、使い勝手をよくするとともに、視認性の改善により食品を短時間で確認できることから、ドアを開けている時間が短縮され、省エネにも貢献した冷蔵庫を提供することができる。
【図面の簡単な説明】
【００１１】
【図１】本発明の実施の形態１における冷蔵庫の制御装置のブロック図
【図２】従来の冷蔵庫の貯蔵室部分の透視図
【発明を実施するための形態】
【００１２】
請求項１に記載の発明は、冷凍サイクルの冷却器で生成された冷気により冷却される引き出し式貯蔵室と、前記引き出し式貯蔵室を照らす庫内灯と、前記引き出し式貯蔵室の開閉を検知するドア開閉検知手段と、前記庫内灯の点灯を制御する庫内灯通電制御手段とを
備え、前記庫内灯を前記引き出し式貯蔵室の上部に配置した上部引き出し式貯蔵室の下部に配置したことにより、外部からは見えなくなり、外観デザインに影響なく、機能性のよい冷蔵庫を提供することができる。
【００１３】
請求項２に記載の発明は、請求項１に記載の発明において、庫内灯は、上部引き出し式貯蔵室の下部で手前に位置し、引き出し式貯蔵室の貯蔵容器が引き出されると共に食品が使用者に見える位置に出てくるときの食品の真上に庫内灯が位置することによって、引き出し手前から食品に照明を照らすことができ、食品の視認性のよい冷蔵庫を提供することができる。
【００１４】
請求項３に記載の発明は、請求項１または２に記載の発明において、庫内灯は、ＬＥＤにより構成されたことによって、小型で省スペースな構成となり、取り付け個所に制限されない構造とすることができる。
【００１５】
請求項４に記載の発明は、請求項１から３のいずれか一項に記載の発明において、引き出し式貯蔵室は少なくとも冷凍室であることにより、食品を的確に照明する冷蔵庫を提供することができる。
【００１６】
（実施の形態１）
図１は、本発明の実施の形態１における冷蔵庫の制御装置のブロック図であり、冷蔵庫の構成と動作を示すものである。
【００１７】
図１において、冷蔵庫２は、冷凍室１と引き出し式の貯蔵容器６と、冷凍室１を開閉する冷凍室ドア３と、冷凍室ドア３の開閉を検知するドア開閉検知手段７と、冷凍室ドア３の上部に位置する貯蔵室ドア５と、貯蔵室ドア５の下部に設置されたＬＥＤ庫内灯４と、ドア開閉検知手段７からの検知信号の入力によりＬＥＤ庫内灯４の点灯を制御する庫内灯通電制御手段８とを備え、庫内灯通電制御手段８は、ＬＥＤ点灯に必要な電力を無線で送信する無線送電手段９と無線で送信された電力を受信しＬＥＤに通電する電流に変換する無線受電手段１０とで構成されるものである。
【００１８】
以上のように構成された冷蔵庫２について、以下その動作、作用を説明する。
【００１９】
まず、冷蔵庫２の電源投入後、冷凍室１は冷却開始により庫内温度が低下し食品を保存する。冷蔵庫２の使用者が食品を取り出す場合において、冷凍室ドア３を開け、冷凍室１の貯蔵容器６を引き出す。このときドア開閉検知手段７は冷凍室ドア３の開を検知し、検知信号「開」を庫内灯通電制御手段８に入力する。庫内灯通電制御手段８は検知信号「開」の入力によりＬＥＤ庫内灯４へ通電を出力し、ＬＥＤ庫内灯４は点灯することとなる。
【００２０】
このとき、ＬＥＤ庫内灯４は、冷凍室ドア３の上部に位置する貯蔵室ドア５の下部に設置されていることから、貯蔵容器６が引き出されると共に食品が使用者に見える位置に出てくるときの食品の真上にＬＥＤ庫内灯４が位置することとなり、食品を的確に照明することができる。また貯蔵室外部に配置されるので、霜の付着など無く、暗くならない庫内灯を提供するものである。
【００２１】
また、ＬＥＤ庫内灯４は、庫内灯通電制御手段８の無線受電手段１０とともに貯蔵室ドア５（例えば貯氷室ドア５）の下部に配置され、無線送電手段９から無線にてＬＥＤ通電を制御できるので、貯氷室ドア５の開閉機構に制約されることなく、貯氷室ドア５の任意の位置に配置することができる。
【００２２】
以上のように、本実施の形態においては冷凍室のドアの開閉に応じて貯蔵容器の食品に
使用者の視線に対して適切に照明を行うことができ、霜の付着のない明るい庫内灯を提供する。
【００２３】
本実施の形態では、冷凍庫の庫内灯の点灯、消灯についての制御を説明したが、冷凍室に限らず、引き出し式のドアを有する貯蔵室すべてに応用できるものである。
【産業上の利用可能性】
【００２４】
以上のように、本発明にかかる冷蔵庫は、貯蔵室外の上部に庫内灯を設けることで、引き出し式の貯蔵室内に使用者の視線にて食品の適切な位置に照明を行うことが可能となるので、家庭用又は業務用冷蔵庫に適用でき、さらに、引き出し式扉のある物品貯蔵装置などＬＥＤ照明を適用する幅広い設備機器にも応用できるものである。
【符号の説明】
【００２５】
１    冷凍室（貯蔵室）
４    ＬＥＤ庫内灯
５    貯蔵室ドア
７    ドア開閉検知手段
８    庫内灯通電制御手段
９    無線送電手段
１０  無線受電手段
【図１】
2011047648.tif 000003
【図２】
2011047648.tif 000004